(57)【要約】      （修正有）【課題】回転抵抗を最小限に抑えられる容量可変回転圧縮機を提供する。【解決手段】第１圧縮室と第２圧縮室に区画されるハウジングと、第１及び第２圧縮室内で回転する回転軸と、回転軸の回転方向の変化にしたがって圧縮回転及び空回転を行うように各圧縮室内部の前記回転軸に取り付けられ、互いに反対方向に動作する第１及び第２偏心装置と、各圧縮室に設けられる第１及び第２ベーンと、第１及び第２圧縮室のうち空回転をする方に吐出側の圧力が加えられるようにする圧力調節装置とを含み、圧力調節装置が、圧縮室の郊外位置の仕切り板に両面が貫通するように形成された流路転換室と、流路転換室内に進退可能に設けられたバルブ部材と、密閉容器の内部と流路転換室が連通するように形成される連通流路と、第１及び第２圧縮室の内部と流路転換室がそれぞれ連通するように第１及び第２供給流路とを含む。【選択図】図８
2005042702.tif 000002
【特許請求の範囲】
【請求項１】
仕切り板と；
密閉容器内に設けられ、その内部空間が仕切り板により異なる容積を有する第１圧縮室と第２圧縮室に区画されるハウジングと；
前記第１及び第２圧縮室内で回転する回転軸と；
前記回転軸の回転方向の変化にしたがって圧縮回転及び空回転を行うように前記各圧縮室内部の前記回転軸に取り付けられ、互いに反対方向に動作する第１及び第２偏心装置と；
前記各圧縮室に設けられる第１及び第２ベーンと；
前記第１及び第２圧縮室のうち空回転をする方に吐出側の圧力が加えられるようにする圧力調節装置とを含む容量可変回転圧縮機において、前記圧力調節装置が、
前記圧縮室の郊外位置の前記仕切り板に両面が貫通するように形成された流路転換室と；
前記流路転換室内に進退可能に設けられたバルブ部材と；
前記密閉容器の内部と前記流路転換室が連通するように形成される連通流路と；
前記第１及び第２圧縮室の内部と前記流路転換室がそれぞれ連通するように前記ハウジングに形成された第１及び第２供給流路と；
を含む容量可変回転圧縮機。
【請求項２】
前記圧力調節装置は、前記流路転換室の両端内部にそれぞれ設けられ、中央に通穴が形成された第１及び第２バルブシートをさらに含むことを特徴とする請求項１に記載の容量可変回転圧縮機。
【請求項３】
前記ハウジングは、内部に前記第１圧縮室が形成される第１ハウジングと、内部に前記第２圧縮室が形成される第２ハウジングとを含み、前記第１ハウジングと第２ハウジングが前記仕切り板の両面にそれぞれ結合され、前記第１及び第２供給流路は前記第１ハウジングと第２ハウジングの前記仕切り板と結合される面にそれぞれ所定深さ凹入されて形成されることを特徴とする請求項２に記載の容量可変回転圧縮機。
【請求項４】
前記第１及び第２バルブシートは、前記第１ハウジングと第２ハウジングにより支持されることによって前記流路転換室から離脱されるのが防止されることを特徴とする請求項３に記載の容量可変回転圧縮機。
【請求項５】
前記第１及び第２供給流路の出口位置が、前記ベーンを基点に１４０〜２２０°の範囲内にあることを特徴とする請求項１に記載の容量可変回転圧縮機。
【請求項６】
前記バルブ部材が平板形状を有することを特徴とする請求項１に記載の容量可変回転圧縮機。
【請求項７】
前記第１及び第２偏心装置は、
前記各圧縮室の回転軸の外面に取り付けられる第１及び第２偏心カムと；
前記第１及び第２偏心カムの外面にそれぞれ回転可能に結合される第１及び第２偏心ブッシュと；
前記第１及び第２偏心ブッシュの外面にそれぞれ結合される第１及び第２ローラと；
前記回転軸の回転方向の変化にしたがって前記第１及び第２偏心ブッシュのうちいずれか一つが偏心され、残りの一つが偏心解除された状態でかかるようにするロック装置と；
を含むことを特徴とする請求項１に記載の容量可変回転圧縮機。
【請求項８】
前記第１及び第２偏心ブッシュの偏心方向が相互反対である状態に前記第１及び第２偏心ブッシュを連結する円筒形連結部をさらに含み、前記ロック装置は、前記連結部に回転方向に長く形成されるロック溝と、前記ロック溝に進入してかかるように前記回転軸に結合されるロックピンとを含むことを特徴とする請求項７に記載の容量可変回転圧縮機。
【請求項９】
前記ロック装置は、前記円筒形連結部の円周に沿って形成されるロック溝と、前記回転軸の偏心部に取り付けられて前記ロック溝と結合されるロックピンとを含むことを特徴とする請求項８に記載の容量可変回転圧縮機。
【請求項１０】
前記回転軸を回転可能に支持するように設けられる上部及び下部フランジ部をさらに含むことを特徴とする請求項１に記載の容量可変回転圧縮機。
【請求項１１】
前記仕切り板は、第１圧縮室と第２圧縮室を区画するように第１及び第２ハウジングの間に配設されることを特徴とする請求項３に記載の容量可変回転圧縮機。
【請求項１２】
前記ロックピンは、前記偏心部の平面部にネジ結合され、その平面部から突出されることを特徴とする請求項９に記載の容量可変回転圧縮機。
【請求項１３】
前記ロック溝は、前記第１及び第２編心ブッシュをお互い連結する前記円筒形連結部の円周一部に沿って形成されることを特徴とする請求項１２に記載の容量可変回転圧縮機。
【請求項１４】
前記ロックピンは、前記回転軸の回転方向にしたがって、前記第１及び第２偏心ブッシュのうちいずれか一つが偏心され、残りの一つが偏心解除された状態で前記ロック溝にかかることを特徴とする請求項１３に記載の容量可変回転圧縮機。
【請求項１５】
前記ロック溝の対向する両端にロック部が形成され、該ロック溝に前記回転軸の偏心部に取り付けられた前記ロックピンが結合された状態で前記回転軸が回転するとき、前記ロックピンは前記ロック溝内で回転して前記両端のロック部のうち少なくとも一つにかかることを特徴とする請求項１４に記載の容量可変回転圧縮機。
【請求項１６】
前記ロックピンが前記ロック溝両端のロック部のうちいずれか一方にかかるとき、前記第１及び第２偏心ブッシュのうちいずれか一つは偏心された状態になり、残りの一つは偏心解除された状態になって前記第１及び第２圧縮室のうちいずれか一方では圧縮動作がなされ、残りの一方では空回転がなされることを特徴とする請求項１５に記載の容量可変回転圧縮機。
【請求項１７】
吸入配管の冷媒が第１圧縮室の吸入口または第２圧縮室の吸入口に流入されるように吸入流路を可変する流路可変装置をさらに含むことを特徴とする請求項１に記載の容量可変回転圧縮機。
【請求項１８】
前記流路可変装置は、
円筒形の胴体部と；
前記胴体部の内部に設けられるバルブ装置と；
吸入配管が連結されるように前記胴体部に形成される入口と；
前記胴体部の対向する両側に形成される第１及び第２出口；
前記第１圧縮室の吸入口と前記第２圧縮室の吸入口にそれぞれ連結されると同時に、前記第１及び第２出口にそれぞれ連結される２つの配管と；
を含むことを特徴とする請求項１７に記載の容量可変回転圧縮機。
【請求項１９】
前記バルブ装置は、
両端が開閉される円筒形のバルブシートと；
前記バルブシートの両端を開閉するために胴体部の両側内部に進退可能に設けられる第１及び第２開閉部材と；
前記第１及び第２開閉部材が一緒に動くように第１及び第２開閉部材をお互い連結する連結部材と；
を含むことを特徴とする請求項１８に記載の容量可変回転圧縮機。
【請求項２０】
前記第１圧縮室と第２圧縮室のうちいずれか一方で圧縮動作が行われるとき、前記第１及び第２出口側に作用する圧力差により胴体部内の第１及び第２開閉部材が圧力の低い側に移動しながら自動で吸入流路を転換することを特徴とする請求項１９に記載の容量可変回転圧縮機。
【請求項２１】
前記第１及び第２バルブシートにはバルブ部材により開閉される第１及び第２通穴がそれぞれ形成され、この第１及び第２通穴は前記第１及び第２圧縮室とそれぞれ連通することを特徴とする請求項４に記載の容量可変回転圧縮機。
【請求項２２】
仕切り板と；
内部空間が仕切り板により相異なる容積を有する第１圧縮室と第２圧縮室に区画されるハウジングと；
前記第１及び第２圧縮室内で回転する回転軸と；
前記回転軸の回転方向の変化にしたがって圧縮回転及び空回転を行うように前記各圧縮室内部の前記回転軸に取り付けられ、相互反対方向に動作する第１及び第２偏心装置と；
前記第１及び第２圧縮室のうち空回転する方に吐出側の圧力が加えられるようにする圧力調節装置と；
を含む容量可変回転圧縮機において、前記圧力調節装置は、
前記圧縮室郊外位置の前記仕切り板に両面が貫通するように垂直形成された流路転換室と；
前記流路転換室内に設置されたバルブ部材と；
前記流路転換室と圧縮機の吐出側を連通させる連通流路と；
前記流路転換室と前記第１及び第２圧縮室の内部をそれぞれ連通させる第１及び第２供給流路と；
を含む容量可変回転圧縮機。
【請求項２３】
密閉容器内に設けられ、内部空間が仕切り板により相異なる容積を有する第１圧縮室と第２圧縮室に区画されるハウジングを含む容量可変回転圧縮機において、
前記第１及び第２圧縮室内で回転する回転軸と；
第１及び第２圧縮室のうち空回転をするいずれか一方に出口側の圧力を印加し、前記第１及び第２圧縮室のうち空回転をするいずれか一方の内部圧力と前記密閉容器の内部圧力が同一になるようにする圧力調節装置と；
を含むことを特徴とする容量可変回転圧縮機。
【発明の詳細な説明】
【技術分野】
【０００１】
本発明は、容量可変回転圧縮機に関し、さらに詳細には、第１及び第２圧縮室のうち空回転をする圧縮室の内部と密閉容器の内部の圧力を同一にする圧力調節手段を備えた容量可変回転圧縮機に関する。
【背景技術】
【０００２】
最近の空気調和機や冷蔵庫に適用される冷却装置では、冷却能力の可変によって要求条件に符合する最適の冷却が行えるようにすると同時に、エネルギー節減を図る目的から容量可変圧縮機の採用が急増しつつある。
【０００３】
容量可変圧縮機に関する特許としては米国特許第４,３９７,６１８号が挙げられるが、この特許に開示してある回転圧縮機は、ベーンを固定または解除させることによって圧縮容量を可変させられるように構成されている。この回転圧縮機は、内部に円筒形圧縮室が設けられているケーシングを含む。ケーシングの内部には、米国特許第４,３９７,６１８号において“スライド”として指し示されたベーンが取付けられ、ローリングピストンの外面と接触しながら半径方向に往復動するようになっている。ベーンを固定または解除して回転圧縮機の圧縮容量を可変させられるようにベーンの一側にはラチェットボルト、アーマチュア、そしてソレノイドから構成されるベーン固定部が備えられている。すなわち、ベーンはソレノイドにより制御されるラチェットボルトの往復動によって固定または解除され、これにより、回転圧縮機の圧縮容量が変化される。
【０００４】
しかし、従来の容量可変回転圧縮機は、ベーンを所定期間の間固定または解除させることで圧縮動作を制御するように構成されているので、要求される吐出圧力を得るために圧縮容量を高精度に変化させる上で困難があった。
【０００５】
また、従来の容量可変回転圧縮機はベーンを固定するラチェットボルトがベーンの一側に進入してベーンに形成されたロック溝にかかるように構成されており、圧縮機の動作に際して高速に往復動するベーンを固定させ難く、結果として信頼性が劣化する点において問題があった。
【発明の開示】
【発明が解決しようとする課題】
【０００６】
本発明は、上記の問題点に鑑みてなされたものであり、その目的は、圧縮容量を高精度に変化させることによって、要求される吐出圧力を得ることができつつ、圧縮容量の変化動作を容易に制御できるように構成された容量可変回転圧縮機を提供することにある。
【０００７】
本発明の他の目的は、空回転をする圧縮室内部の圧力が密閉容器内部の圧力(吐出圧力)と同一になるようにしてベーンによるローラの加圧及びオイルの流入現象を防止することによって回転抵抗が最小限に抑えられるようにする容量可変回転圧縮機を提供することにある。
【課題を解決するための手段】
【０００８】
上記の目的を達成するために、本発明に係る容量可変回転圧縮機は、仕切り板と、密閉容器内に設けられ、その内部空間が仕切り板により異なる容積を有する第１圧縮室と第２圧縮室に区画されるハウジングと、前記第１及び第２圧縮室内で回転する回転軸と、前記回転軸の回転方向の変化にしたがって圧縮回転及び空回転を行うように前記各圧縮室内部の前記回転軸に取り付けられ、互いに反対方向に動作する第１及び第２偏心装置と、前記各圧縮室に設けられる第１及び第２ベーンと、前記第１及び第２圧縮室のうち空回転をする方に吐出側の圧力が加えられるようにする圧力調節装置とを含む容量可変回転圧縮機において、前記圧力調節装置が、前記圧縮室の郊外位置の前記仕切り板に両面が貫通するように形成された流路転換室と、前記流路転換室内に進退可能に設けられたバルブ部材と、前記密閉容器の内部と前記流路転換室が連通するように形成される連通流路と、前記第１及び第２圧縮室の内部と前記流路転換室がそれぞれ連通するように前記ハウジングに形成された第１及び第２供給流路とを含むことを特徴とする。
【０００９】
また、前記ハウジングは、内部に前記第１圧縮室が形成される第１ハウジングと、内部に前記第２圧縮室が形成される第２ハウジングとを含み、前記第１ハウジングと第２ハウジングが前記仕切り板の両面にそれぞれ結合され、前記第１及び第２供給流路は前記第１ハウジングと第２ハウジングの前記仕切り板と結合される面にそれぞれ所定深さ凹入されて形成されることを特徴とする。
【００１０】
また、前記第１及び第２バルブシートは、前記第１ハウジングと第２ハウジングにより支持されることによって前記流路転換室から離脱されるのが防止されることを特徴とする。
【００１１】
前記第１及び第２供給流路の出口が、前記第１及び第２ベーンの反対側に配置されることを特徴とする。
【００１２】
また、前記バルブ部材が弾性を有する平板からなることを特徴とする。
【００１３】
また、前記第１及び第２偏心装置は、前記各圧縮室の回転軸の外面に取り付けられる第１及び第２偏心カムと、前記第１及び第２偏心カムの外面にそれぞれ回転可能に結合される第１及び第２偏心ブッシュと、前記第１及び第２偏心ブッシュの外面にそれぞれ結合される第１及び第２ローラと、前記回転軸の回転方向の変化にしたがって前記第１及び第２偏心ブッシュのうちいずれか一つが偏心され、残りの一つが偏心解除された状態でかかるようにするロック装置とを含むことを特徴とする。
【００１４】
前記第１及び第２偏心ブッシュの偏心方向が相互反対である状態に前記第１及び第２偏心ブッシュを連結する円筒形連結部をさらに含み、前記ロック装置は、前記連結部に回転方向に長く形成されるロック溝と、前記ロック溝に進入してかかるように前記回転軸に結合されるロックピンとを含むことを特徴とする。
【発明の効果】
【００１５】
本発明に係る容量可変回転圧縮機は、回転軸の回転方向にしたがって、異なる容積を有する２つの圧縮室のうち一つで選択的に圧縮動作が行えるように構成したため、正確に圧縮容量を可変して望むとおりの吐出圧力が得られ、且つ、回転圧縮機の圧縮容量を容易に制御できる。
【００１６】
また、本発明に係る容量可変回転圧縮機は、圧力調節装置の動作により第１及び第２圧縮室のうち空回転をする圧縮室側に密閉容器内部の圧力(吐出圧力)が加えられ、空回転をする圧縮室内部と密閉容器内部の圧力差が発生しなくしたため、空回転をする方のベーンがローラを加圧して回転抵抗が発生させる問題が防止でき、これにより圧縮機の能力損失を最小限に抑えることができ、その分、圧縮機の能力を向上させられる効果がある。
【００１７】
また、本発明に係る容量可変回転圧縮機は、圧力調節装置の第１及び第２バルブシートが第１ハウジングと第２ハウジングにより支持される構造を有するため、流路転換室の内部に高圧が作用してもバルブシートが流路転換室から離脱しなくなる効果がある。
【発明を実施するための最良の形態】
【００１８】
以下、本発明に係る好ましい実施例を添付図面を参照しつつ詳細に説明する。図面中、同一の構成要素には可能な限り同一の参照番号及び符号を共通使用し、周知技術については適宜説明を省略するものとする。
【００１９】
本発明の一実施例による容量可変回転圧縮機は、図１に示すように、密閉容器１０と、該密閉容器１０の内部に設けられ、回転力を発生させる上側の駆動部２０と、該駆動部２０と回転軸２１を介して連結される下側の圧縮部３０とを含めてなる。駆動部２０は、密閉容器１０の内面に固定される円筒形の固定子２２と、該固定子２２の内部に回転可能に設けられ、その中心部の回転軸２１に結合される回転子２３とから構成される。この駆動部２０は回転軸２１を正回転または逆回転させる。
【００２０】
圧縮部３０は、上部と下部に異なる容積を有する円筒形の第１圧縮室３１と第２圧縮室３２がそれぞれ形成されたハウジングを備える。該ハウジングは、第１圧縮室３１が形成される第１ハウジング３３ａ、第２圧縮室３２が形成される第２ハウジング３３ｂ、第１圧縮室３１の上部と第２圧縮室３２の下部を閉鎖すると同時に、回転軸２１を回転可能に支持するように第１ハウジング３３ａの上面と第２ハウジング３３ｂの下面にそれぞれ配設される２つのフランジ３５、３６、そして、第１圧縮室３１と第２圧縮室３２を区画するように第１及び第２ハウジング３３ａ、３３ｂの間に配設される仕切り板３４を含む。
【００２１】
第１圧縮室３１と第２圧縮室３２内部の回転軸２１には、図１ないし図４に示すように、上部の第１偏心装置４０と下部の第２偏心装置５０がそれぞれ設けられ、これら偏心装置４０、５０の外面には第１ローラ３７と第２ローラ３８がそれぞれ回転可能な状態に結合される。また、各圧縮室３１、３２の吸入口６３、６４と吐出口６５、６６との間には各ローラ３７、３８の外面と接した状態で半径方向に進退しながら圧縮動作がなされるようにする第１ベーン６１と第２ベーン６２がそれぞれ設けられ、第１及び第２ベーン６１、６２はそれぞれ、ベーンバネ６１ａ、６２ａにより支持される。また、第１及び第２圧縮室３１、３２の吸入口６３、６４と吐出口６５、６６は第１及び第２ベーン６１、６２を基準に相互対向する位置に配置される。ここで、具体的に示してはいないが、第１及び第２吐出口６５、６６はハウジングに形成される流路を通じて密閉容器１０の内部と連通する。
【００２２】
第１及び第２偏心装置４０、５０は、第１及び第２圧縮室３１、３２に対応する位置の回転軸２１の外面に同方向に偏心されるように形成される第１偏心カム４１と第２偏心カム５１を備え、第１及び第２偏心カム４１、５１の外面に回転可能に結合される上部の第１偏心ブッシュ４２と下部の第２偏心ブッシュ５２とを備える。ここで、上部の第１偏心ブッシュ４２と下部の第２偏心ブッシュ５２は、図２に示すように、円筒形からなる連結部４３を介して一体に連結され、偏心方向は相互反対となるように構成される。そして、上述した第１及び第２ローラ３７、３８は第１及び第２偏心ブッシュ４２、５２の外面に回転可能に結合される。
【００２３】
また、図２及び図３に示すように、第１偏心カム４１と第２偏心カム５１との間の回転軸２１の外面には偏心カム４１、５１と同方向に偏心される偏心部４４が設けられ、この偏心部４４には、回転軸２１の回転方向の変化にしたがって第１及び第２偏心ブッシュ４２、５２のうちいずれか一つは回転軸２１から偏心された状態で回転され、残りの一つは偏心解除された状態で回転されるようにするロック装置８０が備えられる。該ロック装置８０は、偏心部４４の一側外面に突出するようにねじ結合されるロックピン８１と、回転軸２１の回転にしたがってロックピン８１が第１及び第２偏心ブッシュ４２、５２の偏心位置と偏心解除位置でそれぞれかかるように第１偏心ブッシュ４２と第２偏心ブッシュ５２を連結する連結部４３に円周方向に沿って長く形成されるロック溝８２とを含む。
【００２４】
この構成によれば、回転軸２１の偏心部４４に結合されたロックピン８１が連結部４３のロック溝８２に進入した状態で回転軸２１の回転にしたがって所定区間回動してロック溝８２両端の第１及び第２ロック部８２ａ、８２ｂのうちいずれか一方にかかり、これにより、第１及び第２偏心ブッシュ４２、５２が回転軸２１とともに回転できるようになる。且つ、ロックピン８１がロック溝８２両端の第１及び第２ロック部８２ａ、８２ｂのうちいずれか一方にかかるとき、第１及び第２偏心ブッシュ４２、５２のうちいずれか一つは偏心された状態になり、残りの一つは偏心解除された状態になるので、第１及び第２圧縮室３１、３２のうちいずれか一方では圧縮動作がなされ、残りの一方では空回転がなされる。勿論、回転軸２１の回転方向が変わると、第１及び第２偏心ブッシュ４２、５２の偏心状態も上述の場合と反対になる。
【００２５】
また、本発明の容量可変回転圧縮機は、図１に示すように、吸入配管６９の冷媒が第１圧縮室３１の吸入口６３と第２圧縮室３２の吸入口６４のうち、圧縮動作が行われる吸入口側にのみ流入されるように吸入流路を可変させる流路可変装置７０を備える。
【００２６】
この流路可変装置７０は、円筒形の胴体部７１と、胴体部７１内に設けられるバルブ装置を含む。ここで、胴体部７１の上部中央の入口７２には吸入配管６９が連結され、胴体部７１の下部両側の第１出口７３と第２出口７４には第１圧縮室３１の吸入口６３と第２圧縮室３２の吸入口６４にそれぞれ連結される第１及び第２配管６７、６８が連結される。胴体部７１内部のバルブ装置は、中央に設けられる円筒形のバルブシート７５、このバルブシート７５両端を開閉するために胴体部７１の両側内部に進退可能に設けられる第１開閉部材７６及び第２開閉部材７７、そして第１及び第２開閉部材７６、７７が一緒に動くように第１及び第２開閉部材７６、７７をお互い連結する連結部材７８から構成される。このように構成される流路可変装置７０では、第１圧縮室３１と第２圧縮室３２のうちいずれか一方で圧縮動作が行われるとき、第１及び第２出口７３、７４側に作用する圧力差により胴体部７１の内部の第１開閉部材７６と第２開閉部材７７が圧力の低い側に移動しながら自動で吸入流路を転換する。つまり、圧縮動作がなされる側に吸入流路が形成されるようにしたのである。
【００２７】
また、本発明に係る回転圧縮機は、図１に示すように、第１及び第２圧縮室３１、３２の中で空回転をする圧縮室の内部に吐出側の圧力が加えられるようにすることによって空回転をする圧縮室内部と密閉容器１０の内部の圧力が同一になるようにする圧力調節装置９０を備える。
【００２８】
この圧力調節装置９０は、図７及び図８に示すように、第１圧縮室３１と第２圧縮室３２を区画する仕切り板３４の内部に形成される流路転換室９１、流路転換室９１が密閉容器１０の内部と連通するように形成される連通流路９２とを含む。また、圧力調節装置９０は、流路転換室９１内の上部と下部にそれぞれ設けられる第１及び第２バルブシート９３、９４と、該第１及び第２バルブシート９３、９４の間に昇降可能に設けられるバルブ部材９５とを含む。
【００２９】
流路転換室９１は、第１ハウジング３３ａと第２ハウジング３３ｂが仕切り板３４の上下両面に結合されるとき、その上部と下部の開口が第１ハウジング３３ａと第２ハウジング３３ｂにより覆われるように各圧縮室３１、３２の内径(Ｄ)部分より外周位置の仕切り板３４に両面が貫通するように形成される。第１及び第２バルブシート９３、９４は、流路転換室９１の上下両端内部にそれぞれ圧入設置され、各バルブシート９３、９４の中央にはバルブ部材９５により開閉される通穴９３ａ、９４ａが形成される。また、仕切り板３４と結合される第１ハウジング３３ａの下面と第２ハウジング３３ｂの上面には第１及び第２バルブシート９３、９４の通穴９３ａ、９４ａと各圧縮室３１、３２の内部が連通するように表面から所定深さ凹入されて形成される第１供給流路９６と第第１及び第２供給流路９７がそれぞれ形成される。この構成によれば、第１ハウジング３３ａと第２ハウジング３３ｂが仕切り板３４に結合されるとき第１及び第２バルブシート９３、９４が第１及び第２ハウジング３３ａ、３３ｂにより支持されることによって流路転換室９１内部に高圧が作用してもバルブシート９３、９４が流路転換室９１から離脱する現象が発生しなくなる。
【００３０】
流路転換室９１内のバルブ部材９５は所定の厚さを持つ平板から構成され、流路転換室９１内で所定区間昇降するように設けられる。したがって、バルブ部材９５が、圧縮動作がなされる方の圧縮室内部の吸入力によって圧縮動作がなされる方に移動して第１及び第２バルブシート９３、９４の通穴９３ａ、９４ａのうち圧縮動作がなされる方のものを閉鎖し、空回転をする圧縮室側を開放するようになる。このようなバルブ部材９５の動作を円滑にするためには、圧縮動作がなされる圧縮室にバルブ部材９５の動作のための吸入力が発生するように、第１ハウジング３３ａと第２ハウジング３３ｂに形成される第１及び第２供給流路９６、９７の出口位置が第１及び第２ベーン６１、６２を基点に１４０〜２２０°範囲内に備えられることが好ましい。また、前記第１及び第２供給流路９６、９７は第１及び第２ベーン６１、６２の反対側にそれぞれ設けられるとさらに好ましい。
【００３１】
密閉容器１０の内部と流路転換室９１が連通されるようにする連通流路９２は、第１及び第２ハウジング３３ａ、３３ｂと仕切り板３４が連通するように上下方向に形成された第１連通流路９２ａと、第１連通流路９２ａと流路転換室９１が連通するように仕切り板３４に横方向に形成される第２連通流路９２ｂとから構成される。
【００３２】
次に、本発明に係る容量可変回転圧縮機の動作を説明する。回転軸２１がある方向に回転する時には、図３に示すように、第１圧縮室３１の第１偏心ブッシュ４２の外面が回転軸２１と偏心された状態でロックピン８１がロック溝８２の一側ロック部８２ａにかかった状態になるので、第１ローラ３７が第１圧縮室３１の内面と接して回転しながら第１圧縮室３１の圧縮動作がなされる。この時、第２圧縮室３２では、図４に示すように、第１偏心ブッシュ４２と反対方向に偏心された第２偏心ブッシュ５２の外面が回転軸２１と同心を持つ状態になり、第２ローラ３８が第２圧縮室３２の内面と離隔された状態になるので、空回転がなされる。また、第１圧縮室３１で圧縮動作がなされる時には第１圧縮室３１の吸入口６３側に冷媒が吸入されるので、流路可変装置７０の動作により第１圧縮室３１側にのみ冷媒が吸入されるように流路が転換される。
【００３３】
このように第１圧縮室３１が圧縮動作を行い、第２圧縮室３２が空回転をする時には、図８に示すように、流路転換室９１内部のバルブ部材９５が第１圧縮室３１と第２圧縮室３２の圧力差により上部に移動して第１圧縮室３１側のバルブシート９３の通穴９３ａを閉鎖する。
【００３４】
つまり、第１圧縮室３１内部の偏心された第１ローラ３７が第１ベーン６１から第１供給流路９６の位置まで回転する間は第１供給流路９６側の圧力が上昇するようになるが、第１ローラ３７が第１供給流路９６を通った瞬間からは第１圧縮室３１の第１供給流路９６側の吸入力が作用するためにバルブ部材９５が上部に移動して第１圧縮室３１側のバルブシート９３の通穴９３ａを閉鎖する。この時、第２圧縮室３２側のバルブシート９４の通穴９４ａは、連通流路９２を通じて密閉容器１０の内部と連通するように開放される。これと同時に、加圧されて吐出される流体は密閉容器１０の内部の圧力を上昇させ、この圧力が連通流路９２と流路転換室９１を経て第２圧縮室３２内に流入する。数回の回転がなされた後には第１圧縮室３１と第２圧縮室３２との圧力差が発生するので、バルブ部材９５が第１圧縮室３１側のバルブシート９３の通穴９３ａを閉鎖した状態に保持される。さらに、このような動作により、空回転をする第２圧縮室３２の内部が密閉容器１０の内部と同一の圧力(吐出圧力)を保持するので、第２ベーン６２が空回転をする第２ローラ３８を加圧することがなく、且つ、第２圧縮室３２の内部にオイルが流入する現象が防止でき、結果として回転軸２１の回転が円滑になる。
【００３５】
回転軸２１が図３に示した場合と反対に回転する時には、図５に示すように、第１圧縮室３１の第１偏心ブッシュ４２の外面が回転軸２１と偏心解除された状態でロックピン８１がロック溝８２の他側ロック部８２ｂにかかった状態になるので、第１ローラ３７が第１圧縮室３１の内面から離隔された状態で回転し、第１圧縮室３１の空回転がなされる。この時、第２圧縮室３２では、図６に示すように、第２偏心ブッシュ５２の外面が回転軸２１と偏心された状態になり、第２ローラ３８が第２圧縮室３２の内面と接して回転する状態になるので、圧縮がなされる。
【００３６】
また、第２圧縮室３２で圧縮動作がなされる時には、第２圧縮室３２の吸入口６４側に冷媒の吸入がなされるので、流路可変装置７０の動作により第２圧縮室３２側にのみ冷媒が吸入されるように吸入流路が変更される。また、このように第２圧縮室３２が圧縮動作を行い、第１圧縮室３１が空回転する時には、図９に示すように、圧力調節装置９０のバルブ部材９５が第２圧縮室３２側へ移動して第２圧縮室３２側のバルブシート９４の通穴９４ａを閉鎖する。この場合、第１圧縮室３１側のバルブシート９３の通穴９３ａは連通流路９２と連通するように開放される。この時、第１圧縮室３１が密閉容器１０の内部と同じ圧力で保持され、第１ベーン６１が空回転する第１ローラ３７を加圧しなくなり、第１圧縮室３１内にオイルが流入する現象が防止でき、結果として回転軸２１の回転が円滑になる。
【図面の簡単な説明】
【００３７】
【図１】本発明に係る容量可変回転圧縮機を示す縦断面図。
【図２】本発明に係る容量可変回転圧縮機における偏心装置の構成を示す斜視図。
【図３】本発明に係る容量可変回転圧縮機において回転軸が第１方向に回転するとき第１圧縮室の圧縮動作を示す断面図。
【図４】本発明に係る容量可変回転圧縮機において回転軸が第１方向に回転するとき第２圧縮室の空回転動作を示す断面図。
【図５】本発明に係る容量可変回転圧縮機において回転軸が第２方向に回転するとき第１圧縮室の空回転動作を示す断面図。
【図６】本発明に係る容量可変回転圧縮機において回転軸が第２方向に回転するとき第２圧縮室の圧縮動作を示す断面図。
【図７】本発明に係る容量可変回転圧縮機における圧力調節装置の構成を示す分解斜視図。
【図８】本発明に係る容量可変回転圧縮機における圧力調節装置の構成を示す断面図であり、第２圧縮室が空回転する状態を示す図。
【図９】本発明に係る容量可変回転圧縮機における圧力調節装置の構成を示す断面図であり、第１圧縮室が空回転する状態を示す図。
【符号の説明】
【００３８】
１０    密閉容器
２０    駆動部
２１    回転軸
２２    固定子
２３    回転子
３０    圧縮部
３１    第１圧縮室
３２    第２圧縮室
３７    第１ローラ
３８    第２ローラ
４０    第１偏心装置
５０    第２偏心装置
７０    流路可変装置
８０    ロック装置
９１    流路転換室
９２    連通流路
９３    第１バルブシート
９４    第２バルブシート
９５    バルブ部材
【図１】
2005042702.tif 000003
【図２】
2005042702.tif 000004
【図３】
2005042702.tif 000005
【図４】
2005042702.tif 000006
【図５】
2005042702.tif 000007
【図６】
2005042702.tif 000008
【図７】
2005042702.tif 000009
【図８】
2005042702.tif 000010
【図９】
2005042702.tif 000011